(57)【要約】電話機であって、ハウジング、第一通信ネットワークを介して通信を行う第一通信モジュール、セキュリティ監視のための検出信号取得部、センサチップ及び処理モジュールを備える。第一通信モジュール、センサチップ及び処理モジュールは、電話機のハウジング内に収容され、検出信号取得部は電話機のハウジングの表面に取り付けられている。セキュリティ監視に係る部品が追加されることにより、電話機が基本の通信機能及びセキュリティ監視機能を具備する総合装置になり、セキュリティ監視機能を有する電話機として良好な隠蔽性を有する。【選択図】図３
2015515793.tif 000002
【特許請求の範囲】
【請求項１】
電話機であって、ハウジング及び第一通信モジュールを備え、
前記第一通信モジュールは、第一通信ネットワークを介して通信を行い、
検出信号取得部、センサチップ及び処理モジュールをさらに備え、
前記検出信号取得部は、検出信号を収集するために使用され、
前記センサチップは、前記検出信号を感知し、対応する要求信号を生成するために使用され、
前記処理モジュールは、セキュリティ監視機能をオンオフする制御信号を受信し、前記制御信号に基づいてセキュリティ監視機能のオンオフを実行し、且つ、前記要求信号を受信し、セキュリティ監視が作動している状態で、前記要求信号をトリガとして、セキュリティ監視情報の記録及び通知の少なくともいずれか一方の操作を実行し、
前記第一通信モジュール、前記センサチップ及び前記処理モジュールが前記ハウジング内に収容され、前記検出信号取得部が前記ハウジングの表面に取り付けられていることを特徴とする電話機。
【請求項２】
前記処理モジュールと前記第一通信モジュールとが信号により接続され、
前記処理モジュールは、要求信号をトリガとして、プリセット電話番号をダイヤルしてユーザに通知するように、またはセキュリティ監視情報をプリセット電子メールアドレス又はネットワークアドレスへ転送するように前記第一通信モジュールを制御することで、前記要求信号をトリガとしてセキュリティ監視情報の通知を実行することを特徴とする請求項１に記載の電話機。
【請求項３】
前記処理モジュールと前記第一通信モジュールとが信号により接続され、
前記処理モジュールは、セキュリティ監視をオンオフする制御信号を受信し、前記第一通信モジュールが通常の通話要求を受信したか否かを判断し、受信したと判断した場合、前記第一通信モジュールの状態がセキュリティ監視機能をオフする制御信号と見なされ、前記第一通信モジュールがスタンバイモードに入ったか否かを引き続き判断し、スタンバイモードに入ったと判断された場合、第一通信モジュールの状態がセキュリティ監視機能をオンする制御信号と見なされ、または、前記処理モジュールは、前記第一通信モジュールが遠隔監視要求を受信したか否かを判断し、受信したと判断した場合、前記遠隔監視要求の指示が、セキュリティ監視機能をオンオフする制御信号と見なされることを特徴とする請求項１に記載の電話機。
【請求項４】
前記ハウジングの表面に取り付けられた情報収集モジュールをさらに備え、前記情報収集モジュールは、画像収集モジュール、動画収集モジュール、音声収集モジュールを含む一又は複数の情報収集モジュールから選択されたものであって、各情報収集モジュールと処理モジュールとは信号により接続され、
前記処理モジュールは、前記要求信号を受信後、前記情報収集モジュールが情報収集を行い、そして前記情報収集モジュールが取得した画像、動画及び音声の少なくともいずれか１つの情報を記録するように、又は、前記報収集モジュールが取得した画像、動画及び音声の少なくともいずれか１つの情報をユーザに通知するように、要求信号をトリガとして、セキュリティ監視情報の記録及び通知の少なくともいずれか１つを実行することを特徴とする請求項１〜３のいずれか１項に記載の電話機。
【請求項５】
前記ハウジングの表面に取り付けられた照明モジュールをさらに備え、
前記照明モジュールと前記処理モジュールとは電気的に接続され、
前記処理モジュールは、前記情報収集モジュールによる情報収集を制御し、且つ、情報収集エリアが照らされるように前記照明モジュールを制御することを特徴とする請求項４に記載の電話機。
【請求項６】
前記検出信号取得部はフレネルレンズを備え、前記センサチップは焦電型赤外線センサチップであり、前記照明モジュールは一つ以上の赤外線発光デバイスを備えることを特徴とする請求項５に記載の電話機。
【請求項７】
記憶モジュールをさらに備え、
前記記憶モジュールと前記処理モジュールとは信号により接続され、
前記情報収集モジュールが取得した画像、動画及び音声の少なくともいずれか１つの情報を前記処理モジュールが記録することが、前記処理モジュールが、前記情報収集モジュールが取得した画像、動画及び音声の少なくともいずれか１つの情報を前記記憶モジュールに保存することを含むことを特徴とする請求項４に記載の電話機。
【請求項８】
第二通信モジュールをさらに備え、
前記第二通信モジュールと前記処理モジュールとは信号により接続され、
前記情報収集モジュールが取得した画像、動画及び音声の少なくともいずれか１つの情報を前記処理モジュールが記録することは、前記処理モジュールが、前記第二通信モジュールを制御し、前記情報収集モジュールが取得した画像、動画及び音声の少なくともいずれか１つの情報を第二通信ネットワークを介してリモート記憶装置に送信して保存することを含むことを特徴とする請求項４に記載の電話機。
【請求項９】
第三通信モジュールをさらに備え、
前記第三通信モジュールと前記処理モジュールとは信号により接続され、
セキュリティ監視機能をオンオフする制御信号を前記処理モジュールが受信することは、前記処理モジュールが、前記第三通信モジュールを介して外部に配備された制御装置から発信されたセキュリティ監視機能をオンオフする制御信号を受信することを含むことを特徴とする請求項１〜８のいずれか１項に記載の電話機。
【請求項１０】
前記処理モジュールは、第三通信モジュールを介してほかのセキュリティ装置が発信した警報信号を受信するためにも使用され、さらに前記要求信号をトリガとして、セキュリティ監視情報の記録及び通知の少なくともいずれか１つを実行し、前記セキュリティ監視情報は、前記警報信号及び前記警報信号を発信したセキュリティ装置の番号の少なくともいずれか１つを含むことを特徴とする請求項１〜８のいずれか１項に記載の電話機。
【請求項１１】
前記電話機は本体及びベースを備え、前記ハウジングは本体ハウジング及びベースハウジングを備え、
前記第一通信モジュールがハウジング内に収容されていることが、前記第一通信モジュールが前記本体ハウジング内に収容されていることを含み、
前記センサチップ及び前記処理モジュールがハウジング内に収容されていることが、前記センサチップが前記本体ハウジングまたは前記ベースハウジング内に収容され、前記処理モジュールが前記本体ハウジングまたは前記ベースハウジング内に収容されていることを含み、
前記検出信号取得部が前記ハウジングの表面に取り付けられていることが、前記検出信号取得部が前記本体ハウジングまたは前記ベースハウジングの表面に取り付けられていること含むことを特徴とする請求項１に記載の電話機。
【請求項１２】
ホルダをさらに備え、前記ベースは前記雲台に取り付けられ、前記処理モジュールは前記ホルダの回転を制御するように構成されていることを特徴とする請求項１１に記載の電話機。
【発明の詳細な説明】
【技術分野】
【０００１】
本発明は通信技術分野に関し、具体的には電話機に関する。
【背景技術】
【０００２】
電話機は幅広く使用されている通信手段である。家庭やオフィスではコード付またはコードレス固定電話機を使用し、外出時にモバイルフォンを使用するといったように、ユーザは通常、異なる場所で異なる通信手段を利用する。
【発明の概要】
【発明が解決しようとする課題】
【０００３】
固定された場所で使用される電話機について、その可能性をさらに広げるよう機能を拡張する必要がある。
【課題を解決するための手段】
【０００４】
本発明は電話機を提供し、ハウジング、第一通信モジュール、検出信号取得部、センサチップ及び処理モジュールを備える。第一通信モジュールは第一通信ネットワークを介して通信を行う。検出信号取得部は、検出信号を取得するために使用される。センサチップは、検出信号取得部が取得した検出信号を感知し、適切な要求信号を生成するために使用される。処理モジュールは、セキュリティ監視機能をオンオフする制御信号を受信するために使用され、制御信号に基づいてセキュリティ監視機能のオンオフを行い、またセンサチップが生成した要求信号を受信するためにも使用され、セキュリティ監視が作動している状態で、要求信号をトリガとしてセキュリティ監視情報の記録及び／又は通知が実行される。第一通信モジュール、検出信号取得部、センサチップ及び処理モジュールは、電話機のハウジング内に収容され、検出信号取得部は電話機のハウジングの表面に取り付けられる。
【発明の効果】
【０００５】
本発明による電話機は、セキュリティ監視に係る部品が追加されることにより、電話機は基本の通信機能とセキュリティ監視機能とを両方具有する総合装置になる。また、電話機自体はよくある物品であるため、セキュリティ監視機能を持つ電話機は良好な隠蔽性を有する。
【図面の簡単な説明】
【０００６】
【図１】本発明の電話機に係る実施形態の外部構造の概略図である。
【図２】図１における電話機の論理ブロックの概略図である。
【図３】本発明の電話機に係る別の実施形態の外観構造の概略図である。
【図４】図３における電話機の論理ブロックの概略図である。
【図５】本発明の電話機に係る別の実施形態の外観構造の概略図である。
【図６】図５における電話機の論理ブロックの概略図である。
【図７】本発明の電話機に係る別の実施形態の論理ブロックの概略図である。
【図８】本発明の電話機に係る別の実施形態の論理ブロックの概略図である。
【図９】本発明の電話機に係る別の実施形態の外観構造の概略図である。
【図１０】本発明の電話機に係る別の実施形態の外観構造の概略図であり、（ａ）は本体正面の概略図であり、（ｂ）は本体が背面の概略図である。
【発明を実施するための形態】
【０００７】
以下、図面を参照しながら、本発明による電話機の実施形態について詳細に説明する。
【０００８】
実施形態１
図１及び図２に示すように、本発明による電話機の一つの実施形態は、ハウジング１０１、第一通信モジュール１０２、フレネルレンズ１０３、焦電型赤外線センサチップ１０４及び処理モジュール１０５を備える。
【０００９】
第一通信モジュール１０２、焦電型赤外線センサチップ１０４及び処理モジュール１０５はハウジング１０１に収容され、フレネルレンズ１０３はハウジング１０１の表面に取り付けられている。
【００１０】
第一通信モジュール１０２は、第一通信ネットワークを介して通信を行う。前記第一通信モジュールは、電話機としての通常の通信機能を実行する。第一通信モジュールのタイプは、電話機に使用される第一通信ネットワークと整合しており、無線通信モジュールまたは有線通信モジュールであってよい。無線通信手段を採用する場合、第一通信ネットワークが、２Ｇ、３Ｇ、または４Ｇのモバイル通信ネットワークであってもよく、Ｂｌｕｅｔｏｏｔｈ、無線ブロードバンド（Ｗｉ−Ｆｉ）、アナログ無線信号通信、赤外線信号通信などの近距離無線伝送ネットワークであってもよい。有線通信手段を採用する場合、第一通信ネットワークが、公衆交換電話網（ＰＳＴＮ）、総合デジタル通信網（ＩＳＤＮ）、又は、非対称デジタル加入者回線（ＡＤＳＬ）、イーサネット（Ｅｔｈｅｒｎｅｔ：登録商標）、同軸ケーブル、若しくはほかのインターネットプロトコル（ＩＰ）電話ネットワークなどのインターネット電話通信ネットワークであってもよい。第一通信モジュールに対し採用された通信手段は本実施形態の限定にならない。
【００１１】
本実施形態では、セキュリティ監視機能のトリガモジュールとして、フレネルレンズ１０３と焦電型赤外線センサチップ１０４とが組み合わされた赤外線感知モジュールを採用している。フレネルレンズ１０３は、その監視エリア内の赤外線信号を合焦させる。焦電型赤外線センサチップ１０４は、フレネルレンズ１０３の焦点に置かれた感光素子を介して赤外信号を感知し、そして例えば、生物が監視エリアの中に現れたことを表す信号である対応する要求信号を生成する。通常のセキュリティ監視機能が主に生物の侵入検出に使用されるため、このような赤外線検出による監視トリガ手段は、良好な監視効果を奏する。別の実施形態では、検出信号として、例えば音声、画像、動画、温度、湿度のようなほかの信号を採用してもよい。選択された検出信号に対し、適切に同種類の信号が取得できる検出信号取得部、及び同種類の信号が感知できるセンサチップを取り付ければよい。
【００１２】
処理モジュール１０５は、セキュリティ監視をオンオフする制御信号を受信し、制御信号に基づいてセキュリティ監視機能のオンオフを実行するように、さらに焦電型赤外線センサチップ１０４が発信した要求信号を受信し、セキュリティ監視機能が作動している状態で、この要求信号をトリガとしてセキュリティ監視情報の記録及び／又は通知動作を実行するように構成されている。
【００１３】
本実施形態で言及するセキュリティ監視情報は、例えばセキュリティ監視事象がトリガされた時間、このトリガされた事象自体（すなわち「セキュリティ監視事象が発生したこと」）のような、要求信号によってトリガされたセキュリティ監視事象に係る情報を含む。さらに、セキュリティ監視情報は、セキュリティ監視事象に係る音声、画像、動画（もしあれば）データなどを含む可能性もある。処理モジュールはこれらの情報を記録するだけでなく、公知の様々な手段を用いてこれらの情報をユーザに伝達してもよい。データの情報量が少ない場合は、処理モジュール自身で記録を行ってもよい。別の実施形態では、より詳細な監視情報又はデータ量がより大きい監視情報を取得できるなら、適切な記憶装置を設けてもよい。処理モジュールの通知手段としては、簡単な音、光警報であってもよく、通信手段により情報をユーザ（または警察のような関係者）に転送してもよい。
【００１４】
セキュリティ監視機能をもつ論理処理装置として、処理モジュールは、具体的に、マクロプロセッサ、制御チップ、中央演算処理装置（ＣＰＵ）などであってよい。オンオフ監視機能、監視に係る処理情報、及びユーザとの対話などのセキュリティ監視装置への通常のニーズにしたがって、処理モジュールの制御機能を設計してよい。処理モジュールによる監視機能のオンオフは、焦電型赤外線センサチップ（別の実施形態では検出された信号の種類に対応するセンサチップであってもよい）のオンオフにより、又は、センサチップが発信した要求信号を処理または無視することにより実現することができる。もちろんほかの手段を採用してもよく、例えばユーザが設定したオンオフ時間に従い自動的に監視機能のオンオフを行ってもよいし、または電話機上に特定のボタンを設定し、ユーザがボタンを押すことにより発生したトリガ信号に従い監視機能のオンオフを行ってもよい。管理機能をオンオフする複数の互いに異なる方法は、単独で使用してもよく、組み合わせて使用してもよい。
【００１５】
ある具体例では、もし電話機自体に論理プロセッサがあるなら、構造を簡素化するため、処理モジュールの制御機能をこの論理プロセッサに統合してもよく、図１の点線に示すように、この場合は、処理モジュールの電話制御機能と監視制御機能との間に論理結合がなくてもよい。
【００１６】
実施形態２
図３及び図４に示すように、本発明による電話機のもう一つの実施形態は、ハウジング２０１、第一通信モジュール２０２、フレネルレンズ２０３、焦電型赤外線センサチップ２０４、処理モジュール２０５、情報収集モジュール２０６、照明モジュール２０７、及び、記憶モジュール２０８を備える。
【００１７】
第一通信モジュール２０２、焦電型赤外線センサチップ２０４、処理モジュール２０５及び記憶モジュール２０８はハウジング２０１内に収容され、フレネルレンズ２０３、情報収集モジュール２０６及び照明モジュール２０７はハウジング２０１の表面に取り付けられている。
【００１８】
本実施形態では、第一通信モジュール２０２、フレネルレンズ２０３、焦電型赤外線センサチップ２０４及び処理モジュール２０５の間の関係は実施形態１における説明に類似するため、説明を省略する。本実施形態と実施形態１との相違点は、より詳細なセキュリティ監視情報を収集及び保存可能な、情報収集モジュール２０６、照明モジュール２０７及び記憶モジュール２０８を含む装置が追加されたことである。
【００１９】
情報収集モジュール２０６は、実際の監視のニーズに基づいて、画像収集モジュール、動画収集モジュール、音声収集モジュールの中から一つまたは複数が選択される。そして、各情報収集モジュールと処理モジュール２０５とは信号により接続されている。処理モジュール２０５には、情報収集モジュール２０６に対応する制御機能が追加されている。すなわち、処理モジュール２０５は、センサチップ２０４が発信した要求信号を受信した後、情報収集モジュール２０６が監視エリアに対し画像の取り込み、録音、録画などの情報収集を行うように制御する。処理モジュール２０５が記録及び／又は通知したセキュリティ監視情報は、情報収集モジュール２０６が取得した画像及び／又は動画及び／又は音声情報をさらに含んでもよい。
【００２０】
本実施形態では、情報収集モジュール２０６が取得した画像データの品質を高めるため、照明モジュール２０７が追加されている。照明モジュール２０７と処理モジュール２０５とは電気的に接続されている。照明モジュール２０７は具体的には赤外発光ダイオード（ＬＥＤ）のような一つ以上の赤外線発光装置であってもよく、もちろんほかの種類の照明器具であってもよい。照明モジュール２０７のタイプは、情報収集モジュール２０６に使用されるイメージセンサの要求により確定する。処理モジュール２０５には、照明モジュール２０７に対応する制御機能が追加されている。すなわち、処理モジュール２０５は、情報収集するために情報収集モジュール２０６を制御する際に、照明モジュール２０７が情報収集エリアを照らすように制御する。
【００２１】
情報収集モジュール２０６が取得したセキュリティ監視情報は、通常では比較的大きなデータ量を有するため、本実施形態では、記憶モジュール２０８が追加されている。記憶モジュール２０８と処理モジュール２０５とは信号により接続されている。処理モジュール２０５には、記憶モジュール２０８に対応する制御機能が追加されている。すなわち、処理モジュール２０５は、情報収集モジュール２０６が取得した画像及び／又は動画及び／又は音声情報が記憶モジュール２０８に保存される。
【００２２】
別の実施形態では、図５及び図６に示すように、リモート記憶装置２０９を使用してセキュリティ監視情報を保存してもよい。この場合は、第二通信モジュール２１０をさらに備え、第二通信モジュール２１０と処理モジュール２０５とが信号により接続される。処理モジュール２０５には、第二通信モジュール２１０に対応する制御機能が追加されている。すなわちセキュリティ監視情報の記録が必要な場合、第二通信モジュール２１０を制御することにより、情報収集モジュール２０６が取得した画像及び／又は動画及び／又は音声情報が、第二通信ネットワークを介してリモート記憶装置２０９まで送信され保存される。リモート記憶装置２０９と処理モジュール２０５との間の物理的な距離が近ければ、第二通信ネットワークには、第一通信モジュールと同じまたは異なる通信手段が採用されてもよく、例えばブルートゥース、無線ブロードバンド（Ｗｉ−Ｆｉ）などの近距離無線転送手段が採用される。もし記憶装置２０９が遠距離ネットワークのストレージスペースを提供する装置であれば、第二通信ネットワークには、対応するアクセスネットワークが使用されてもよい。リモート記憶装置の使用により保存されたセキュリティ監視情報の安全性が高まり、監視装置（すなわち本実施形態による電話機）が盗難されても、セキュリティ監視情報を失うことがない。
【００２３】
実施形態３
図７に示すように、本発明による電話機のもう一つの実施形態は、ハウジング３０１、第一通信モジュール３０２、フレネルレンズ、焦電型赤外線センサチップ３０４、処理モジュール３０５、情報収集モジュール３０６、照明モジュール３０７、記憶モジュール３０８を備える。
【００２４】
第一通信モジュール３０２、焦電型赤外線センサチップ３０４、処理モジュール３０５及び記憶モジュール３０８はハウジング３０１内に収容され、フレネルレンズ、情報収集モジュール３０６及び照明モジュール３０７はハウジング３０１の表面に取り付けられている。
【００２５】
本実施形態では、フレネルレンズ、焦電型赤外線センサチップ３０４、情報収集モジュール３０６、照明モジュール３０７、記憶モジュール３０８及び処理モジュール３０５の間の関係は実施形態２における説明に類似するため、説明を省略する。本実施形態と実施形態２との相違点は、セキュリティ監視機能と電話機自体の通信機能とが制御ロジックにより統合されることである。
【００２６】
本実施形態では、処理モジュール３０５と第一通信モジュール３０２とは信号により接続されている。処理モジュール３０５には、第一通信モジュール３０２に対応する制御機能が追加されている。すなわち、処理モジュール３０５は、要求信号をトリガとして、セキュリティ監視情報を通知する必要がある場合、第一通信モジュール３０２を制御し、プリセット番号をダイヤルしてユーザに通知する、またはセキュリティ監視情報をプリセット電子メールアドレス又はネットワークアドレスへ転送する。もちろん、具体的な通知内容及び形式については、例えば、セキュリティ監視情報を説明する文字メールの送信、または情報収集モジュール３０６が取得した画像、動画の送信といった要求により設定可能である。
【００２７】
本実施形態では、処理モジュール３０５は、第一通信モジュールの状態にしたがって、セキュリティ監視をオンオフする。すなわち、処理モジュール３０５は、第一通信モジュール３０２が通常の通話要求を受信したか否かを判断する。受信したと判断した場合、第一通信モジュールの状態がセキュリティ監視機能をオフする制御信号と見なされ、そして第一通信モジュール３０２がスタンバイモードに入ったか否かを引き続き判断する（例えば第一通信モジュールが着信に応答しない、または着信に応答した後通信を終了させる）。スタンバイモードに入ったと判断された場合、第一通信モジュールの状態がセキュリティ監視機能をオンする制御信号と見なされる。または、処理モジュール３０５は、第一通信モジュール３０２が遠隔監視要求を受信したか否かを判断する。受信したと判断した場合、前記遠隔監視要求の指示が、セキュリティ監視機能をオンオフする制御信号と見なされる。第一通信モジュール３０２は、プリセット発信番号に基づいて、通常の通話要求と所定の発信者により発信された遠隔監視要求とを区別することができる。
【００２８】
本実施形態では、セキュリティ監視の論理制御機能と電話機の通信機能とが統合されることにより、電話機自体がもつ機能を十分に活用される。また、セキュリティ監視をオンオフするときに電話機の通信機能の使用状態が考慮されることにより、ユーザが電話機を使用する際にセキュリティ監視機能へのミストリガが回避される。
【００２９】
実施形態４
図８に示すように、本発明による電話機のもう一つの実施形態は、ハウジング４０１、第一通信モジュール４０２、フレネルレンズ、焦電型赤外線センサチップ４０４、処理モジュール４０５、情報収集モジュール４０６、照明モジュール４０７、記憶モジュール４０８、第三通信モジュール４０９を備える。
【００３０】
第一通信モジュール４０２、焦電型赤外線センサチップ４０４、処理モジュール４０５、記憶モジュール４０８及び第三通信モジュール４０９はハウジング４０１内に収容され、フレネルレンズ、情報収集モジュール４０６及び照明モジュール４０７はハウジング４０１の表面に取り付けられている。
【００３１】
本実施形態では、第一通信モジュール４０２、フレネルレンズ、焦電型赤外線センサチップ４０４、情報収集モジュール４０６、照明モジュール４０７、記憶モジュール４０８及び処理モジュール４０５の間の関係は実施形態３における説明に類似するため、説明を省略する。本実施形態と実施形態３との相違点は、本実施形態では、電話機が単一のセキュリティ監視装置からセキュリティシステムにアップグレードされたことである。このため、セキュリティシステムのほかのセキュリティ装置と通信する第三通信モジュール４０９が追加されている。第三通信モジュールは、具体的に、３５５Ｍまたは４３３Ｍ無線通信のような、セキュリティ装置同士が通常使用する通信手段であってよい。
【００３２】
第三通信モジュール４０９と処理モジュール４０５とは信号により接続されている。処理モジュール４０５には、第三通信モジュール４０９に対応する制御機能が追加されている。この制御機能は、たとえば、第三通信モジュールを介して外部に配備された制御装置から発信された、セキュリティ監視をオンオフする制御信号を受信すること（前記外部配備制御装置は例えばオンオフに関する指示を発信可能なリモコンのようなセキュリティシステムの制御センターであってもよく、もちろん、この外部配備制御装置は、ユーザ設定用のインターフェースを提供するなどほかの機能を有していてもよい）、または第三通信モジュールを介してほかのセキュリティ装置から発信された警報信号を受信すること、及び、受信した警報信号をトリガとしてセキュリティ監視情報の記録及び／又は通知を行うことである。この場合、セキュリティ監視情報は、警報信号、及び／又は、この警報信号を発信したセキュリティ装置の番号を含んでもよい。前記セキュリティ装置の番号は、セキュリティシステムの中の異なる複数の装置を識別するために使用され、このため、それぞれこれらの装置を制御することができ、装置同士の情報交換も便利になる。セキュリティ監視情報中のセキュリティ装置の番号は、警報信号のタイプを示すために使用されてよい。例えば、アクセス制御又はクロスライン警報装置から発信された警報信号は通常侵入事象を示し、火災センサや煙センサから発信された警報信号は通常火事を示し、ガス漏れ検出器から発信された警報信号は通常ガス漏れ現象を示すために使用されてよい。第三通信モジュールには、第一通信モジュールと同じまたは異なる通信手段が使用されてもよく、ここでは説明を省略する。
【００３３】
本実施形態では、セキュリティ監視機能を有する電話機とほかのタイプのセキュリティ装置とが接続されることにより、セキュリティシステムが構成され、したがって、セキュリティ監視機能がより向上する。
【００３４】
実施形態５
図９に示すように、本発明による電話機のもう一つの実施形態は、ハウジング、第一通信モジュール、フレネルレンズ５０３、焦電型赤外線センサチップ、処理モジュール、情報収集モジュール５０６、照明モジュール５０７、記憶モジュールを備える。本実施形態による電話機は、電話機本体とベースとの２つの部分から構成され、よって、電話機のハウジングは本体ハウジング５０１１とベースハウジング５０１２との２つの部分から構成される。
【００３５】
通常のコードレス電話機の構造にしたがって、電話機本体は主に電話通信機能を提供し、ベースは主に電話機本体の充電及び収容スペースを提供する。したがって、本実施形態では、第一通信モジュールは本体ハウジング５０１１内に収容されている。また、処理モジュール及び記憶モジュールは本体ハウジング５０１１内に収容され、情報収集モジュール５０６は本体ハウジング５０１１の表面に取り付けられ、焦電型赤外線センサチップはベースハウジング５０１２内に収容され、フレネルレンズ５０３及び照明モジュール５０７はベースハウジング５０１２の表面に取り付けられている。本体ハウジング５０１１及びベースハウジング５０１２には、焦電型赤外線センサチップ及び照明モジュール５０７を処理モジュールに接続するためのインターフェースがそれぞれ設けられている。よって、本体がベースに置かれる際に、焦電型赤外線センサチップ及び照明モジュール５０７は処理モジュールと接続される。
【００３６】
本実施形態では、第一通信モジュール、フレネルレンズ５０３、焦電型赤外線センサチップ、情報収集モジュール５０６、照明モジュール５０７、記憶モジュール及び処理モジュールの間の関係は実施形態３における説明に類似するため、説明を省略する。本実施形態と実施形態３との相違点は、セキュリティ監視機能のために追加されたいくつかの部品がベースに取り付けられることで、本体のコンパクト化といったデザインニーズに適応することである。
【００３７】
セキュリティ監視のエリアを調整可能にするために、本実施形態では、電話機のベースが配置されるホルダ５１１がさらに追加されている。ホルダ５１１は、所定の規則にしたがって自動回転してもよいし、処理モジュールによりホルダ５１１の回転を制御してもよい。別の実施形態では、もし本発明による電話機が、ほかのセキュリティ装置と共にセキュリティシステムを構成しているのであれば（実施形態４を参考）、処理モジュールがほかのセキュリティ装置からの警報信号に基づいてホルダの回転を制御することもできる。これによって、情報収集モジュールを監視が必要なエリアに向けることができる。
【００３８】
別の実施形態では、フレネルレンズ、焦電型赤外線センサチップ、処理モジュール、情報収集モジュール、照明モジュール及び記憶モジュールは、別の態様で本体及びベースに配置することもできる。たとえば、図１０に示すように、フレネルレンズ６０３、情報収集モジュール６０６及び照明モジュール６０７がすべて本体に配置される。ただし、もしこれらが本体ハウジング６０１１の背面に配置されると、電話機のセキュリティ監視装置としての隠蔽性がさらに高まる。もし接続必要な部品同士が同じ部分になければ、対応する部品を接続するインターフェースを本体ハウジング及びベースハウジングにそれぞれ設ければよい。本体はベースに配置することが要求されるので（対応するインタフェースが整合するように）、対応する部品同士の接続が完了することで本体とベースとを一つの物体として見なすことができる。さらに、処理モジュールは、処理モジュールと異なるハウジング内の部品が接続されているか否かを検出することにより、本体がベース上に位置するか否かを判断することができる。さらに、これが監視機能をオンオフする制御信号と見なされることで、監視機能に対する制御には、さらなる便利さかつ柔軟性を持つようになる。
【００３９】
以上、具体的な例を応用し本発明による原理や実施形態について説明した。上述した実施形態は、本発明を説明するためだけであり、本発明を限定するものではないと理解すべきである。本分野の当業者にとって、本発明の考えに基づき、上記発明を実施するための形態を適宜変更することができる。
【図１】
2015515793.tif 000003
【図２】
2015515793.tif 000004
【図３】
2015515793.tif 000005
【図４】
2015515793.tif 000006
【図５】
2015515793.tif 000007
【図６】
2015515793.tif 000008
【図７】
2015515793.tif 000009
【図８】
2015515793.tif 000010
【図９】
2015515793.tif 000011
【図１０】
2015515793.tif 000012
【国際調査報告】
2015515793.tif 000013
2015515793.tif 000014
2015515793.tif 000015